(57)【要約】【課題】転倒時のこぼれを抑制することができる揮散装置を提供する。【解決手段】液状薬剤を収容した容器体１１の口部２４にキャップ３１を装着して開口部２５を閉鎖する。キャップ３１の天部３３に複数の小穴４２を設ける。各小穴４２の内径寸法を、吸上芯１２の外形寸法とほぼ同寸法に設定し、各小穴４２に単一の吸上芯１２を挿通可能に構成する。各小穴４２に吸上芯１２を挿入した状態で、上面４１より上方へ延出した各吸上芯１２の延出部分７１が放射状に広がるように各小穴４２の開口方向を設定する。【選択図】図２
2011050658.tif 000002
【特許請求の範囲】
【請求項１】
複数の吸上芯を容器体内に連通した開口部を介して挿入し、前記容器体内の液状薬剤を前記各吸上芯で吸い上げて前記容器体より延出した前記各吸上芯の延出部分から揮散する揮散装置において、
前記開口部に、該開口部を閉鎖する閉鎖部を設け、該閉鎖部に単一の吸上芯を挿通可能な小穴を複数設けたことを特徴とする揮散装置。
【請求項２】
前記各小穴に挿入された前記各吸上芯の前記延出部分が放射状に広がるように前記各小穴の開口方向を設定したことを特徴とする請求項１記載の揮散装置。
【請求項３】
所定の前記小穴が属するグループを複数設定し、
所定のグループに属する小穴に前記吸上芯を装着した状態で当該吸上芯の前記延出部分の広がり形状が、他のグループに属する小穴に前記吸上芯を装着した状態での当該吸上芯の前記延出部分の広がり形状と異なるように前記各グループに属する前記小穴を設定したことを特徴とする請求項２記載の揮散装置。
【発明の詳細な説明】
【技術分野】
【０００１】
本発明は、液状成分を揮散する揮散装置に関する。
【背景技術】
【０００２】
従来、容器体に収容された芳香液や消臭液等の液状薬剤を揮散する揮散装置が知られている。
【０００３】
この揮散装置としては、容器体に複数の吸上芯を挿入し、吸い上げた液状薬剤を、容器体から延出した部分より揮散するいわゆるリードディフューザータイプの揮散装置が知られている。
【０００４】
このリードディフューザータイプの揮散装置は、図７に示すように、液状薬剤３０１を収容した容器体３０２を備えてなり、該容器体３０２に設けられた口部３０３の開口部３０４には、複数の吸上芯３０５，・・・が挿入されている。
【０００５】
各吸上芯３０５，・・・は、その基端部が前記容器体３０２の底部に達するとともに、先端部が前記口部３０３より上方に延出するように構成されており、前記容器体３０２に収容された前記液状薬剤３０１を基端部から吸い上げて先端部より揮散できるように構成されている。
【発明の概要】
【発明が解決しようとする課題】
【０００６】
しかしながら、このような従来の揮散装置３１１にあっては、吸上芯３０５，・・・を挿入する為、容器体３０２の口部３０３の開口面積が大きい。このため、当該容器体３０２が倒れた際に収容された液状薬剤３０１がこぼれ易いという問題があった。
【０００７】
本発明は、このような従来の課題に鑑みてなされたものであり、転倒時のこぼれを抑制することができる揮散装置を提供することを目的とするものである。
【課題を解決するための手段】
【０００８】
前記課題を解決するために本発明の請求項１の揮散装置にあっては、複数の吸上芯を容器体内に連通した開口部を介して挿入し、前記容器体内の液状薬剤を前記各吸上芯で吸い上げて前記容器体より延出した前記各吸上芯の延出部分から揮散する揮散装置において、前記開口部に、該開口部を閉鎖する閉鎖部を設け、該閉鎖部に単一の吸上芯を挿通可能な小穴を複数設けた。
【０００９】
すなわち、液状薬剤を収容した容器体の開口部には、該開口部を閉鎖する閉鎖部が設けられており、該閉鎖部には、単一の吸上芯を挿通可能な小穴が複数設けられている。
【００１０】
そして、この揮散装置を使用する際には、前記小穴に前記吸上芯を挿通し、該吸上芯の下端部を前記液状薬剤内に挿入した状態で、当該吸上芯の上端部を前記閉鎖部より上方へ延出する。これにより、前記容器体内の液状薬剤は、前記各吸上芯で吸い上げられ、前記容器体より延出した前記各吸上芯の延出部分から揮散される。
【００１１】
このとき、前記吸上芯が挿通される前記小穴は、単一の吸上芯を挿通可能な大きさに設定されており、複数の吸上芯が挿通可能に形成された開口部と比較して、その開口面積が小径とされる。
【００１２】
また、前記各小穴によって前記吸上芯の延出位置が定められ、各小穴より延出した前記各吸上芯の延出部分が形成する形状が安定化する。
【００１３】
また、請求項２の揮散装置においては、前記各小穴に挿入された前記各吸上芯の前記延出部分が放射状に広がるように前記各小穴の開口方向を設定した。
【００１４】
これにより、前記各小穴に前記各吸上芯を挿入した状態で、各吸上芯の前記延出部分が放射状に広げられる。
【００１５】
さらに、請求項３の揮散装置では、所定の前記小穴が属するグループを複数設定し、所定のグループに属する小穴に前記吸上芯を装着した状態で当該吸上芯の前記延出部分の広がり形状が、他のグループに属する小穴に前記吸上芯を装着した状態での当該吸上芯の前記延出部分の広がり形状と異なるように前記各グループに属する前記小穴を設定した。
【００１６】
すなわち、前記小穴は、定められたグループに属するように構成されており、所定のグループに属する小穴に前記吸上芯を装着した状態で当該吸上芯の前記延出部分が形成する広がり形状は、他のグループに属する小穴に前記吸上芯を装着した状態において当該吸上芯の前記延出部分が形成する広がり形状と異なるように構成されている。
【００１７】
このため、いずれかのグループに属する小穴に前記吸上芯を選択的に装着することによって、好みの広がり形状が形成される。
【発明の効果】
【００１８】
以上説明したように本発明の請求項１の揮散装置にあっては、容器体の開口部を閉鎖する閉鎖部には、複数の小穴が設けられており、各小穴は、単一の吸上芯を挿通可能な大きさに設定されている。
【００１９】
このため、複数の吸上芯を挿通可能な開口部が容器体に開口する従来と比較して、前記吸上芯が挿入される各小穴の開口面積を小さくすることができる。
【００２０】
また、前記各小穴は、単一の吸上芯を挿入できる大きさに形成されており、各小穴に前記吸上芯を挿入した状態では、前記各小穴を、挿入された吸上芯によって閉鎖することができる。
【００２１】
したがって、前記容器体が転倒した場合において、複数の吸上芯を挿入可能な開口部が開口する従来と比較して、収容された液状薬剤の不用意なこぼれを抑制することができる。
【００２２】
このとき、前記吸上芯を、吸い上げた液状薬剤によって膨潤する素材で構成すれば、当該吸上芯と前記小穴間に形成される僅かな隙間をも閉鎖することができる。これにより、吸上芯が挿入された各小孔からの前記液状薬剤の漏れも防止することができる。
【００２３】
そして、前記各小穴によって挿入された吸上芯の延出位置を定めることができる。これにより、各小穴より延出した前記各吸上芯の延出部分が形成する形状を安定化することができ、当該延出部分を一定形状に維持することができる。
【００２４】
また、請求項２の揮散装置においては、前記各小穴に前記各吸上芯を挿入した使用状態において、各吸上芯の前記延出部分を放射状に広げることができる。
【００２５】
このため、前記各吸上芯の前記延出部分が単純に垂直に延出する場合と比較して、各吸上芯の延出部分から揮散される液状薬剤の揮散効率を高めることができる。また、前記閉鎖部を中心として前記各吸上芯の延出部分を放射状に広げることができるため、見栄えが向上し、外観品質を高めることができる。
【００２６】
さらに、請求項３の揮散装置では、異なるグループに属する小穴に前記吸上芯を選択的に装着することにより、異なる広がり形状を形成することができる。
【００２７】
このため、いずれかのグループに属する小穴に前記吸上芯を選択的に装着することによって、好みの広がり形状を形成することができる。これにより、個々の好みに応じた利用形態が可能となり、利便性が向上する。
【図面の簡単な説明】
【００２８】
【図１】本発明の第一の実施の形態を示す説明図である。
【図２】同実施の形態の要部を示す拡大図である。
【図３】同実施の形態のキャップを示す図で、（ａ）は平面図であり、（ｂ）は要部を示す断面図である。
【図４】同実施の形態の説明書に記載されたグループ表を示す図である。
【図５】同実施の形態の容器体が倒れた状態を示す説明図である。
【図６】本発明の第二の実施の形態のキャップを示す図で、（ａ）は平面図であり、（ｂ）は要部を示す断面図である。
【図７】従来の揮散装置を示す説明図である。
【発明を実施するための形態】
【００２９】
（第一の実施の形態）
【００３０】
以下、本発明の第一の実施の形態を図に従って説明する。
【００３１】
図１は、本実施の形態にかかる揮散装置１を示す図であり、該揮散装置１は、芳香液や消臭液等の液状薬剤２を揮散するものである。
【００３２】
この揮散装置１は、前記液状薬剤２を収容した容器体１１と、該容器体１１に収容された前記液状薬剤２を吸い上げて揮散する複数の吸上芯１２，・・・とによって構成されている。
【００３３】
前記容器体１１は、円形の底面２１を備えており、該底面２１の周縁からは、円筒状の周壁２２が上方へ向けて延出している。該周壁２２の上縁からは、中心方向へ向けてショルダー部２３が延出しており、該ショルダー部２３の中心部には、口部２４が上方へ向けて延出している。該口部２４は、円筒状に形成されており、当該口部２４が構成する開口部２５は、前記容器体１１内部に連通するように構成されている。前記口部２４内径寸法は、前記周壁２２の内径寸法より小さな値に設定されており、当該口部２４の外周面には、雄ねじ部２６が一体形成されている。
【００３４】
この口部２４には、図２にも示すように、前記開口部２５を閉鎖する閉鎖部としてのキャップ３１が装着されており、該キャップ３１は、前記口部２４に外嵌する円筒部３２と、該円筒部３２の上縁に架橋した天部３３とによって構成されている。前記円筒部３２の内側面には、前記口部２４の前記雄ねじ部２６に螺合する雌ねじ部３４が一体形成されており、当該キャップ３１を前記口部２４に螺着できるように構成されている。
【００３５】
前記天部３３は、肉厚に形成されており、その上面４１が平坦に形成されている。この上面４１には、複数の小穴４２，・・・が形成されている。各小穴４２，・・・の内径寸法は、前記吸上芯１２の外形寸法とほぼ同寸法に設定されており、各小穴４２，・・・は、単一の吸上芯１２を挿通した状態で内嵌できるように構成されている。
【００３６】
前記各小穴４２，・・・は、図３の（ａ）に示すように、第一〜第十三小穴４２ａ〜４２ｍによって構成されており、第五小穴４２ｅが前記天部３３の中心に配置されている。他の小穴４２ａ〜４２ｄ、４２ｆ〜４２ｍは、前記第五小穴４２ｅの囲むように配置されており、前記各小穴４２ａ〜４２ｍの近傍には、当該小穴４２ａ〜４２ｍを示す番号表示部５１，・・・が記されている。
【００３７】
前記第五小穴４２ｅは、図３の（ｂ）に示すように、前記天部３３に対して垂直に延設されており、この第五小穴４２ｅの周囲に設けられた各小穴４２ａ〜４２ｄ、４２ｆ〜４２ｍは、前記第五小穴４２ｅを中心として、当該天部３３の下面６１から上面４１へ向かうに従って外側へ広がるように延設されている。
【００３８】
これにより、図１に示したように、前記各小穴４２ａ〜４２ｍに前記吸上芯１２，・・・を挿入した状態で、前記上面４１より上方へ延出した前記各吸上芯１２，・・・の延出部分７１，・・・が放射状に広がるように前記各小穴４２ａ〜４２ｍの開口方向が設定されている（図３の（ｂ）参照）。
【００３９】
この揮散装置１には、説明書が添付されており、この説明書には、図４に示すように、グループ表１０１が印刷されている。
【００４０】
このグループ表１０１には、第一グループ１１１を示すＡパターン１１２と、第二グループ１１３を示すＢパターン１１４と、第三グループ１１５を示すＣパターン１１６とが記載されており、前記Ａパターン１１２を構成する第一グループ１１１には、第一〜第九小穴４２ａ〜４２ｉが属することを示す番号表示１２１が記されている。また、前記Ｂパターン１１４を構成する第二グループ１１３には、第一小穴４２ａと第三小穴４２ｃと第七小穴４２ｇと第九小穴４２ｉ及び第十〜第十三小穴４２ｊ〜４３ｍとが属することを示す番号表示１２２が記されており、前記Ｃパターン１１６を構成する第三グループ１１５には、第一〜第十三小穴４２ａ〜４２ｍが属することを示す番号表示１２３が記されている。
【００４１】
これにより、所定の前記小穴４２が属するグループ１１１，１１３，１１５が複数設定されており、いずれかのグループ１１１，１１３，１１５に属する小穴４２に前記吸上芯１２を選択的に装着した状態で各吸上芯１２，・・・の前記延出部分７１，・・・が形成する広がり形状が、他のグループ１１１，１１３，１１５に属する小穴４２ａ〜４２ｍに前記吸上芯１２，・・・を装着した状態で各吸上芯１２，・・・の前記延出部分７１，・・・が形成する広がり形状とが異なるように、前記各小穴４２ａ〜４２ｍが前記各グループ１１１，１１３，１１５に属するように構成されている。
【００４２】
そして、前記各吸上芯１２，・・・は、葦などの円柱状部材によって構成されており、前記小穴４２ａ〜４２ｍに挿通して、その下端部を前記液状薬剤２に浸した際に当該液状薬剤２を上端まで吸い上げられるように構成されている。これら吸上芯１２，・・・の長さ寸法は、前記容器体１１の前記底面２１から前記キャップ３１の上面４１までの高さ寸法より十分長い寸法に設定されており、当該吸上芯１２，・・・を前記小穴４２ａ〜４２ｍに挿入し、その下端を前記底面２１に接触させた状態において、その上端部が前記キャップ３１の上面４１より上方へ延出するように構成されている。
【００４３】
これにより、前記吸上芯１２，・・・を、前記キャップ３１に形成された前記小穴４２ａ〜４２ｍに挿入し、その下端部を前記容器体１１内の前記液状薬剤２に浸けることによって、該液状薬剤２を前記各吸上芯４２ａ〜４２ｍで吸い上げて、前記容器体１１より延出した前記各吸上芯１２，・・・先端部である前記延出部分７１，・・・から揮散できるように構成されている。
【００４４】
以上の構成にかかる本実施の形態において、液状薬剤２を収容した容器体１１の口部２４には、キャップ３１が装着されており、前記口部２４が構成する開口部２５は、閉鎖部を構成する前記キャップ３１によって閉鎖されている。そして、このキャップ３１の天部３３には、単一の吸上芯１２を挿通可能な小穴４２，・・・が複数設けられている。
【００４５】
このため、この小穴４２，・・・に前記吸上芯１２，・・・を挿通し、該吸上芯１２，・・・の下端部を前記液状薬剤２内に浸すとともに、その上端部を前記キャップ３１より上方へ延出することによって、前記容器体１１内の前記液状薬剤２を、前記各吸上芯１２，・・・で吸い上げて、前記容器体１１より延出した前記各吸上芯１２，・・・の延出部分７１，・・・から揮散することができる。
【００４６】
このとき、前記吸上芯１２，・・・が挿通される前記小穴４２，・・・は、単一の吸上芯１２を挿通可能な大きさに設定されている。このため、複数の吸上芯を挿通可能な開口部が容器体に開口する従来と比較して、前記吸上芯１２，・・・が挿入される各小穴４２，・・・の開口面積を小さくすることができる。
【００４７】
また、前記各小穴４２，・・・は、単一の吸上芯１２を挿入できる大きさに形成されており、各小穴４２，・・・に前記吸上芯１２，・・・を挿入した状態では、前記各小穴４２，・・・を、挿入された吸上芯１２，・・・によって閉鎖することができる。
【００４８】
したがって、図５に示すように、前記容器体１１が転倒した場合であっても、複数の吸上芯を挿入可能な開口部が開口する従来と比較して、収容された液状薬剤２の不用意なこぼれを抑制することができる。
【００４９】
このとき、前記吸上芯１２は、葦で形成されており、当該吸上芯１２は、前記液状薬剤２を吸収することによって膨潤する。このため、当該吸上芯１２と前記小穴４２間に形成された僅かな隙間をも閉鎖することができるので、各小穴４２，・・・からの前記液状薬剤２の漏れも確実に防止することができる。
【００５０】
さらに、前記キャップ３１を木製とすることで、葦製の吸上芯１２が吸い上げた液状薬剤２によって前記キャップ３１を膨潤させることができる。これにより、前記吸上芯１２と前記小穴４２間に形成された僅かな隙間を確実に閉鎖することができる、各小穴４２，・・・からの前記液状薬剤２の漏れをより確実に防止することができる。
【００５１】
そして、前記各小穴４２，・・・に挿入された前記吸上芯１２，・・・は、各小穴４２，・・・によって、その延出位置が定められており、その延出位置を定めることができる。これにより、各小穴４２，・・・より延出した前記各吸上芯１２，・・・の延出部分７１，・・・が形成する形状を安定化することができ、当該延出部分７１，・・・を一定形状に維持することができる。
【００５２】
また、前記各小穴４２，・・・は、挿入された前記各吸上芯１２，・・・の前記延出部分７１，・・・が放射状に広がるように、その開口方向が設定されている。
【００５３】
これにより、前記各小穴４２，・・・に前記各吸上芯１２，・・・を挿入した使用状態において、各吸上芯１２，・・・の前記延出部分７１，・・・を放射状に広げることができる。
【００５４】
このため、前記各吸上芯１２，・・・の前記延出部分７１，・・・が単純に垂直に延出する場合と比較して、各吸上芯１２，・・・の延出部分７１，・・・から揮散される液状薬剤２の揮散効率を高めることができる。また、前記キャップ３１の天部３３を中心として前記各吸上芯１２，・・・の延出部分７１，・・・を放射状に広げることができるので、見栄えが向上し、外観品質を高めることができる。
【００５５】
そして、前記各小穴４２ａ〜４２ｍは、定められたグループ１１１，１１３，１１５に属するように構成されており、所定のグループ１１１，１１３，１１５に属する小穴４２ａ〜４２ｍに前記吸上芯１２，・・・を選択的に装着した状態で、当該吸上芯１２，・・・の前記延出部分７１，・・・が形成する広がり形状は、他のグループ１１１，１１３，１１５に属する小穴４２ａ〜４２ｍに前記吸上芯１２，・・・を装着した状態において当該吸上芯１２，・・・の前記延出部分７１，・・・が形成する広がり形状と異なるように構成されている。
【００５６】
このため、説明書に記載されたグループ表１０１に従って、いずれかのグループ１１１，１１３，１１５に属する小穴４２ａ〜４２ｍに前記吸上芯１２，・・・を選択的に装着することで、異なる広がり形状を形成することができる。
【００５７】
これにより、好みの広がり形状を形成することができるため、個々の好みに応じた利用形態が可能となり、利便性が向上する。
【００５８】
なお、本実施の形態にあっては、前記グループ表１０１に従って、いずれかのグループ１１１，１１３，１１５に属する小穴４２ａ〜４２ｍに吸上芯１２，・・・を挿入して、異なる広がり形状を形成する場合を例に挙げて説明したが、これに限定されるものではない。
【００５９】
（第二の実施の形態）
【００６０】
すなわち、図６は、第二の実施の形態を示す図であり、本実施の形態の揮散装置２０１では、前記容器体１１の前記口部２４に装着されるキャップ３１の天部３３に単一の吸上芯１２を挿通可能な第一〜第九小穴４２ａ〜４２ｉが開設されるとともに、各小穴４２ａ〜４２ｉに挿入される吸上芯１２，・・・が前記小穴４２ａ〜４２ｉと同数である９本付属している。
【００６１】
前記第五小穴４２ｅは、図６の（ｂ）に示すように、前記天部３３の中央に垂直に設けられており、この第五小穴４２ｅの周囲に設けられた各小穴４２ａ〜４２ｄ、４２ｆ〜４２ｉは、前記第五小穴４２ｅを中心として、当該天部３３の下面６１から上面４１へ向かうに従って外側へ広がるように延設されている。
【００６２】
これにより、図１に示したように、前記各小穴４２ａ〜４２iに前記吸上芯１２，・・・を挿入した状態で、前記上面４１より上方へ延出した前記各吸上芯１２，・・・の延出部分７１，・・・が放射状に広がるように前記各小穴４２ａ〜４２ｉの開口方向が設定されている（図６の（ｂ）参照）。
【００６３】
このように構成した揮散装置２０１であっても、前述の実施の形態と同様の作用効果を得ることができる。
【００６４】
また、前記キャップ３１に開設された総ての小穴４２ａ〜４２ｉが、挿入された吸上芯１２，・・・によって閉鎖されるので、転倒時の液状薬剤２のこぼれを確実に防止することができる。
【符号の説明】
【００６５】
１    揮散装置
２    液状薬剤
１１    容器体
１２    吸上芯
２５    開口部
３１    キャップ
４２    小穴
４２ａ  第一小穴
４２ｂ  第二小穴
４２ｃ  第三小穴
４２ｅ  第後小穴
７１    延出部分
１１１    第一グループ
１１３    第二グループ
１１５    第三グループ
２０１    揮散装置
【図１】
2011050658.tif 000003
【図２】
2011050658.tif 000004
【図３】
2011050658.tif 000005
【図４】
2011050658.tif 000006
【図５】
2011050658.tif 000007
【図６】
2011050658.tif 000008
【図７】
2011050658.tif 000009